(57)【要約】【課題】揮散性薬剤を含有する構造体全体の大きさを小さくしても、表面積を確保して揮散性薬剤の揮散量低下を抑え、かつ、構造体全体の表面積のうち容器の内壁に接触しうる部分をできるだけ少なくし、揮散性薬剤の揮散が妨げられるのを避けるとともに容器の汚染を防止することを目的とする。【解決手段】揮散性を有する揮散性薬剤を含有させた樹脂組成物を平板状に成形した立体構造体であり、立体構造体は、正面から背面にかけて貫通した貫通孔を有し、立体構造体を正面から見たとき、貫通孔の周縁は、多角形状、円状、円弧状及び渦巻き状から選ばれる形状を有し、貫通孔の周縁の形状は、同一平面、又は連続して変化する面に形成された形状とする。【選択図】図２
2019071904.tif 000002
【特許請求の範囲】
【請求項１】
板状体に渦巻き状の貫通孔が形成され、
この渦巻きの中心の板状体の部分を上方に持ち上げた状態を保持した形状を有する構造体からなり、
２５℃、風速０．５ｍの条件下における３０日間のメトフルトリンの揮散量（ｍｇ／ｈ）であって、風を正面に当てたときの揮散量と風を側面に当てたときの揮散量との比（正面の揮散量／側面の揮散量）が、１．００より大きく１．５６以下である揮散性薬剤含有立体構造体。
【発明の詳細な説明】
【技術分野】
【０００１】
この発明は、揮散性薬剤を含有する立体構造体に関する。
【背景技術】
【０００２】
住宅において、窓や玄関などは、害虫の侵入口となる。これに対する侵入口からの害虫の侵入を抑制する方法として、これらの場所に防虫具を配することが考えられる。
【０００３】
このような防虫具の例としては、ネットに揮散性の防虫剤を保持させ、これを、開放窓を有する容器に収納した防虫具や、揮散性薬剤を保持したネットを枠部材にはめ込んだ防虫具（特許文献１参照）等が知られている。
【先行技術文献】
【特許文献】
【０００４】
【特許文献１】特開２００６−３１４２８４号公報
【発明の概要】
【発明が解決しようとする課題】
【０００５】
ところで、これらの防虫具は、窓や玄関などに吊り下げられて使用される場合が多いが、この場合、防虫具を邪魔に感じたり、目障りに感じたりする場合がある。これに対しては、防虫具全体の大きさを小さくしたり、厚みを薄くしたりすることにより、防虫具の存在感を減らす方法が考えられる。
【０００６】
しかしながら、防虫具全体の大きさを小さくしたり、厚みを薄くしたりするためには、防虫具内の防虫剤を保持したネットを小さくする必要があり、その結果、防虫剤の揮散量の減少を伴って防虫効果が低下することとなる。
【０００７】
また、揮散性薬剤を保持したネットを容器に収納して使用する場合、ネットの表面から揮散性薬剤が揮散するが、ネットの全表面積のうち容器の内壁に接触する部分が多いと、揮散性薬剤の揮散が妨げられて揮散量が低下したり、内壁に付着した揮散性薬剤が容器の汚染を招く可能性がある。
【０００８】
ところで、この問題は、防虫剤以外に、忌避剤、芳香剤、抗菌剤等揮散性薬剤を用いた場合にも、揮散量の低下や汚染等の同様の問題を生じる場合がある。
【０００９】
そこでこの発明は、揮散性薬剤を含有する構造体全体の大きさを小さくしても、表面積を確保して揮散性薬剤の揮散量低下を抑え、かつ、構造体全体の表面積のうち容器の内壁に接触しうる部分をできるだけ少なくし、揮散性薬剤の揮散が妨げられるのを避けるとともに容器の汚染を防止することを目的とする。
【課題を解決するための手段】
【００１０】
この発明は、揮散性を有する揮散性薬剤を含有させた樹脂組成物を平板状に成形した立体構造体であり、前記立体構造体は、正面から背面にかけて貫通した貫通孔を有し、前記立体構造体を正面から見たとき、前記貫通孔の周縁は、多角形状、円状、円弧状及び渦巻き状から選ばれる形状を有し、前記貫通孔の周縁の形状は、同一平面、又は連続して変化する面に形成された形状である揮散性薬剤含有立体構造体を用いることにより、上記の課題を解決したのである。
【発明の効果】
【００１１】
この発明にかかる揮散性薬剤含有立体構造体は、立体状の構造体なので、ほぼ平面的なネットの場合に比べ、一定範囲内における表面積が増大する。このため、全体の大きさを小さくしても、揮散性薬剤を揮散できる表面積を確保でき、揮散性薬剤の揮散量を保持することが可能となる。
さらに、正面から背面にかけて貫通した貫通孔を有するので、揮散する上記薬剤の流れを一定方向に揃えて気流を生じやすくすることで、濃度の高い薬剤を目的の方向に集め、防虫効果を高めることができる。
また、立体構造となるので、容器と接する揮散性薬剤含有立体構造体の部分を減らすことができ、容器の内壁と接触することで生じる揮散性薬剤の揮散量低下や容器の汚染を抑制することが可能となる。
【図面の簡単な説明】
【００１２】
【図１】（ａ）立体構造体の例を示す斜視図、（ｂ）（ａ）の正面図、（ｃ）（ａ）の側面図、（ｄ）（ａ）の端面図、（ｅ）（ｂ）のｅ−ｅ断面図、（ｆ）（ｂ）のｆ−ｆ断面図
【図２】（ａ）立体構造体の他の例を示す斜視図、（ｂ）（ａ）の正面図、（ｃ）（ａ）の側面図、（ｄ）（ａ）の端面図、（ｅ）（ｂ）のｅ−ｅ断面図、（ｆ）（ｂ）のｆ−ｆ断面図
【図３】（ａ）立体構造体の他の例を示す斜視図、（ｂ）（ａ）の正面図、（ｃ）（ａ）の側面図、（ｄ）（ａ）の端面図、（ｅ）（ｂ）のｅ−ｅ断面図、（ｆ）（ｂ）のｆ−ｆ断面図
【図４】（ａ）立体構造体の他の例を示す斜視図、（ｂ）（ａ）の正面図、（ｃ）（ａ）の側面図、（ｄ）（ａ）の端面図、（ｅ）（ｂ）のｅ−ｅ断面図、（ｆ）（ｂ）のｆ−ｆ断面図、（ｇ）（ｂ）のｇ−ｇ断面図
【図５】（ａ）立体構造体の他の例を示す斜視図、（ｂ）（ａ）の正面図、（ｃ）（ａ）の側面図、（ｄ）（ａ）の端面図、（ｅ）（ｂ）のｅ−ｅ断面図
【図６】（ａ）立体構造体の他の例を示す斜視図、（ｂ）（ａ）の正面図、（ｃ）（ａ）の側面図、（ｄ）（ａ）の端面図、（ｅ）（ａ）の背面図、（ｆ）（ｂ）のｆ−ｆ断面図、（ｇ）（ｂ）のｇ−ｇ断面図
【図７】（ａ）立体構造体の他の例を示す斜視図、（ｂ）（ａ）の正面図、（ｃ）（ａ）の側面図、（ｄ）（ａ）の端面図、（ｅ）（ａ）の背面図、（ｆ）（ｂ）のｆ−ｆ断面図、（ｇ）（ｂ）のｇ−ｇ断面図
【図８】（ａ）立体構造体の他の例を示す斜視図、（ｂ）（ａ）の正面図、（ｃ）（ａ）の側面図、（ｄ）（ａ）の端面図、（ｅ）（ａ）の背面図、（ｆ）（ｂ）のｆ−ｆ断面図
【図９】（ａ）立体構造体の他の例を示す斜視図、（ｂ）（ａ）の正面図、（ｃ）（ａ）の側面図、（ｄ）（ａ）の端面図、（ｅ）（ａ）の背面図、（ｆ）（ｂ）のｆ−ｆ断面図、（ｇ）（ｂ）のｇ−ｇ断面図
【図１０】（ａ）立体構造体の他の例を示す斜視図、（ｂ）（ａ）の正面図
【図１１】（ａ）立体構造体の他の例を示す斜視図、（ｂ）（ａ）の正面図
【図１２】（ａ）立体構造体の他の例を示す斜視図、（ｂ）（ａ）の正面図
【図１３】（ａ）立体構造体の他の例を示す斜視図、（ｂ）（ａ）の正面図
【図１４】（ａ）立体構造体の他の例を示す斜視図、（ｂ）（ａ）の正面図、（ｃ）（ａ）の側面図、（ｄ）（ａ）の端面図、（ｅ）（ｂ）のｅ−ｅ断面図
【図１５】参考例１で用いた立体構造体の例を示す斜視図、（ｂ）（ａ）の正面図、（ｃ）（ａ）の側面図、（ｄ）（ｂ）のｄ−ｄ断面図、（ｅ）（ｂ）のｅ−ｅ断面図、（ｆ）（ａ）の端面図、（ｇ）（ｂ）のｇ−ｇ断面図、（ｈ）（ｂ）のｈ−ｈ断面図
【発明を実施するための形態】
【００１３】
この発明に係る揮散性薬剤含有立体構造体は、揮散性薬剤を含有させた樹脂組成物を平板状に成形した立体構造体である。
【００１４】
［揮散性薬剤］
上記揮散性薬剤は、常温で揮散性を有する薬剤であり、常温において有効成分が揮散するものであれば、特に限定されるものではなく、防虫剤、忌避剤、芳香剤、消臭剤、防黴剤、抗菌剤などを用いることができる。
【００１５】
上記防虫剤としては、トランスフルトリン、メトフルトリン、エムペントリン、プロフルトリン、アレスリン、フラメトリン、プラレトリン、レスメトリン、フタルスリン、フェノトリン、天然ピレトリン等のピレスロイド系殺虫成分、ジクロルボス、フェニトロチオン、マラソン等の有機リン系殺虫成分、メトプレン、ハイドロプレン等の昆虫成長制御剤等があげられ、なかでも、トランスフルトリン、メトフルトリン、エムペントリン、プロフルトリンから選ばれるピレスロイド系殺虫成分が好ましい。これらの化合物のなかには、不斉炭素や不飽和結合に基づく光学異性体または幾何異性体が存在する場合があるが、それらの各々単独もしくは任意の混合物も本発明に包含されることはもちろんである。
【００１６】
上記忌避剤としては、Ｎ，Ｎ−ジエチルトルアミド（ディート）、ジメチルフタレート、ジブチルフタレート、２−エチル−ヘキサンジオール、ジブチルサクシネート、ｐ−メンタン−３，８−ジオール等があげられる。
【００１７】
上記芳香剤としては、シトロネラ油、オレンジ油、レモン油、ライム油、ユズ油、ラベンダー油、ペパーミント油、ユーカリ油、ジャスミン油、檜油、緑茶精油、リモネン、α―ピネン、リナロール、ゲラニオール、フェニルエチルアルコール、アミルシンナミックアルデヒド、ベンジルアセテートなどがあげられる。
【００１８】
上記消臭剤としては、揮発性のものではヒバ油、ヒノキ油、竹エキス、ヨモギエキス、キリ油やピルビン酸エチル、ピルビン酸フェニルエチル等のピルビン酸エステルなどがあげられる。
【００１９】
上記防黴剤としては、２−ｎ−オクチル−４−イソチアゾリン−３−オン、イソプロピルメチルフェノール、オルソフェニールフェノールなどがあげられる。
【００２０】
上記抗菌剤としては、ヒノキチオール、テトラヒドロリナロール、オイゲノール、シトロネラール、アリルイソチオシアネートなどがあげられる。
【００２１】
［樹脂組成物］
次に、上記の立体構造体を構成する樹脂組成物について説明する。
この樹脂組成物は、樹脂に揮散性薬剤を含有させた組成物であり、かつ、含有する上記揮散性薬剤を揮散することが可能な組成物である。
【００２２】
上記樹脂としては、そのままで、又は後述する担体を使用したとき、含有させた上記揮散性薬剤を徐々に表面から揮散させることが可能であれば特に限定されるものではない。例えば、分岐低密度ポリエチレン（ＬＤＰＥ）、線状低密度ポリエチレン（ＬＬＤＰＥ）等のポリエチレン（ＰＥ）、ポリプロピレン（ＰＰ）等のポリオレフィン系樹脂や、あるいは、これらとカルボン酸エステル（酢酸ビニル、メタクリル酸メチル、メタクリル酸エチル等）とのポリオレフィン系共重合体等があげられる。かかるカルボン酸エステルは、樹脂表面からの揮散性薬剤の揮散をコントロールするのに効果的で、一般にカルボン酸エステルのポリオレフィン系樹脂に対する配合比率が高くなるほど揮散性薬剤のブリードの速度を遅らせる傾向を有する。本発明では、カルボン酸エステルがポリオレフィン系樹脂
に対して１〜３５重量％配合された、エチレン−ビニルアセテート共重合体（ＥＶＡ）やエチレン−メタクリル酸メチル共重合体（ＥＭＭＡ）等が好適に使用される。
また、ポリオレフィン系共重合体とオレフィンの単独重合体との含有比率を調整して混合したポリマーブレンドを用いることもできるし、必要に応じてスチレン系エラストマー等の他の高分子化合物を含有させることもできる。
なお、上記カルボン酸エステルとは、不飽和カルボン酸エステル又はカルボン酸ビニルエステルを意味する。
【００２３】
上記樹脂組成物には、必要に応じて、タルク、アルミナ、シリカ、ホワイトカーボン等の担体を併用してもよく、更に着色剤、安定剤、帯電防止剤等を適宜配合しても構わない。担体を使用すると、第一段階で樹脂に揮散性薬剤を高濃度に含有させたマスターバッチを調製し、第二段階で更に樹脂を用いて所定濃度に希釈する製造工程を採用することができ便利である。また、樹脂組成物内部から表面部にかけての連通気泡を生じ、内部の揮散性薬剤が表面にブリードしやすくなる場合もある。
【００２４】
上記樹脂組成物中における揮散性薬剤の含有量は、使用する揮散性薬剤の種類、樹脂の種類、使用環境、使用期間等によって適宜決定される。使用期間が長くなるほど揮散性薬剤の含有量を高くする必要があるが、１〜２０重量％の範囲に設定するのが適当である。１重量％未満であると効果を奏するのに必要な薬量を確保することが難かしく、一方、２０重量％を超えると、揮散性薬剤を練り込んだ後の成形が困難となり、更に樹脂表面に揮散性薬剤が過剰にブリードしてベタツキを起こしやすいという支障を生じる場合がある。
【００２５】
上記担体を使用する場合、上記樹脂組成物中の担体の使用量は、使用する揮散性薬剤１００重量部に対し、５重量部以上がよく、１０重量部以上が好ましい。５重量部より少ないと、揮散性薬剤を保持する性能が劣りマスターバッチによる製造が困難となる。一方、担体使用量の上限は、揮散性薬剤１００重量部に対して５０重量部までがよく、３５〜４０重量部程度が好ましい。５０重量部より多いと、立体構造体の強度や揮散性薬剤のブリード性に影響を及ぼす場合がある。
【００２６】
この発明に係る揮散性薬剤含有立体構造体は、上記樹脂組成物を射出成形等することによって、成形することが可能である。この射出成形条件は、使用する樹脂の種類、各成分の配合割合等を勘案して、周知の条件で行うことができる。
【００２７】
上記樹脂組成物は、上記揮散性薬剤が揮散性薬剤含有立体構造体の表面にブリードし、その表面から揮散していくため、この揮散性薬剤含有立体構造体に手が触れると揮散性薬剤が手に付着する恐れがある。このため、この発明にかかる揮散性薬剤含有立体構造体は、容器に収納して使用することが好ましい。この容器は、内部の揮散性薬剤含有立体構造体に手が触れにくく、かつ、揮散性薬剤が揮散しやすい程度の穴（開放窓）が空いていれば、特に限定されない。また、この容器は、使用用途に応じて、吊り下げたり、網戸等に貼り付け可能な構造を有することが好ましい。
なお、本発明の揮散性薬剤含有立体構造体は、ネット形状と較べて強固であり、製造工程において容器への収納をスムーズに行えるというメリットも有する。
【００２８】
［立体構造体］
次に、上記樹脂組成物を成形した立体構造体について説明する。
この立体構造体は、平板状に成形されたものであり、正面から背面にかけて貫通した貫通孔を有する。この貫通孔により、この立体構造体の表面積が増大し、上記薬剤の揮散量を増大させることができると共に、揮散する上記薬剤の流れを一定方向に揃えて気流を生じやすくすることで、濃度の高い薬剤を目的の方向に集め、防虫効果を高めることができる。
【００２９】
この貫通孔の周縁は、この立体構造体を正面から見たとき、三角形状、四角形状、五角形状、六角形状、八角形状等の多角形状、真円状、楕円状等の円状、円弧状及び渦巻き状等の形状を形成する。そして、その貫通孔の周縁の形状は、同一平面、又は連続して変化する面に形成された形状である。これにより、デザイン面、成形の容易性、及び揮散性薬剤の揮散性の拡大という特徴を同時に発揮することが可能となる。
【００３０】
このような貫通孔は、上記立体構造体の正面や側面から見たときの隠蔽率が所定の範囲内になるように設けられることが、揮散性薬剤の揮散性の拡大等の点から好ましい。上記立体構造体の正面から見たときの隠蔽率は、５％以上がよく、１０％以上が好ましい。５％より小さいと、立体構造体の成形が困難となるばかりか、構造体自体の強度が低下する可能性がある。一方、正面から見たときの隠蔽率の上限は、５０％がよく、４０％が好ましい。５０％より大きいと、薬剤の流れを一定方向に揃えることが困難となるおそれがある。
【００３１】
また、上記立体構造体の側面から見たときの隠蔽率は、５０％以上がよく、８０％以上が好ましい。５０％より小さいと、薬剤の流れを一定方向に揃えることが困難となるおそれがある。一方、側面は、貫通孔を有さなくてもよいため、側面から見たときの隠蔽率の上限は、１００％である。
【００３２】
このような立体構造体の例としては、下記の図１〜図１４に記載の構造体が挙げられる。
なお、貫通孔の周縁が特定の形状を有する場合、その特定の形状の貫通孔の周縁と近隣の同じ形状の貫通孔の周縁との間や、立体構造体の外周縁との間に、その特定の形状でない形状の貫通孔の周縁が生じる場合がある。これは、貫通孔の周縁の形状によっては、その形状で立体構造体の正面の全てを埋めることはできず、残存部が生じるからである。以下においては、残存部の形状については特に言及しないが、それの存在の有無は、各図面等から判断することができる。
【００３３】
まず、図１〜５の各図に示す立体構造体１１ａ〜１１ｅは、この立体構造体１１ａ〜１１ｅの正面から背面にかけて、貫通孔１２ａ〜１２ｅの周縁１３ａ〜１３ｅの形状を一定に保持したものである。そして、厚み方向は、この立体構造体の外周縁１４ａ〜１４ｅ、各貫通孔１２ａ〜１２ｅの周縁１３ａ〜１３ｅとも平板で構成される。そして、この厚み方向長さは、この面を下にしたとき、自立性を有する（支えなしで立てることができる）程度の厚みを有することが、薬剤の流れを一定方向に揃えやすくなる点で好ましい。
なお、図１〜５の各図は、上記貫通孔１２ａ〜１２ｅの周縁１３ａ〜１３ｅの形状を正三角形（図１）、正方形（図２）、正六角形（図３）、真円（図４）、複数種の三角形（図５）としたものである。
【００３４】
図６の各図に示す立体構造体１１ｆは、貫通孔１２ｆの形状（すなわち、貫通孔の周縁１３ｆの形状）として、前記樹脂組成物の棒状体を折り曲げ等の成形を行うことにより形成され得る貫通孔形成部１５ｆを有する構造体である。この貫通孔形成部１５ｆは、その複数が同一平面上に配されると共に、互いに連結されて、前記立体構造体の正面部を構成する。そして、この複数の貫通孔形成部１５ｆに、棒状体が接続され、多数の脚部１６ｆが形成され、この棒状体からなる脚部１６ｆの端縁部は、前記立体構造体の背面部を構成する。このため、図６に示す立体構造体は、全体として、平板状となる。
なお、図６の各図においては、前記貫通孔１２ｆの形状（貫通孔の周縁１３ｆの形状）、すなわち貫通孔形成部１５ｆの形状として、正方形を例示する。
【００３５】
図７、８の各図に示す立体構造体１１ｇ、１１ｈは、板状体１７ｇ、１７ｈに円状又は
多角形状の穴が開けられ、その穴を覆うように、前記板状体の一方の面、他方の面、又は両方の面にカバー部１８ｇ、１８ｈが設けられた構造体である。このため、図７、８の各図に示す立体構造体は、全体として、平板状となる。なお、カバー部１８ｇ、１８ｈとは、板状体より突出した面であり、複数個の板状体を重ね合わせたとき、突出した面同士が重なる形状部をいう。
前記カバー部１８ｇ、１８ｈは、真球や楕円体をカットした形状を有する半球状やドーム状、三角柱、四角柱、六角柱等の形状を有する柱状、三角錐、四角錐、六角錐等の角錐や円錐等の形状を有する錐状、三角錐台、四角錐台、六角錐台等の角錐台や円錐台等の形状を有する錐台状等の形状を有する中空体である。そして、底面が開放され、前記カバー部内部と前記板状体の穴とは連通する。
さらに、前記カバー部や前記板状体の前記穴以外の部分に、前記貫通孔１２ｇ、１２ｈが設けられる。前記貫通孔の形状は、前記した形状以外に、直線状があげられる。
なお、図７、８の各図は、板状体の穴の形状を真円とし、カバー部の形状を真球の半球状（図７）、円錐台（図８）としたものである。そして貫通孔の形状は、円弧状、真円状、直線状（図７）、真円状（図８）としたものである。
【００３６】
図９の各図に示す立体構造体１１ｉは、前記貫通孔の形状（すなわち、貫通孔の周縁の形状）として、前記樹脂組成物の棒状体を折り曲げ等の成形を行うことにより形成され得る貫通孔形成部１５ｉを有する構造体である。そして、この貫通孔形成部１５ｉを一段に並べたり、この一段に並べた貫通孔形成部１５ｉに、別の貫通孔形成部１５ｉを二段以上の複数段に重ねて並べたりして、これらの貫通孔形成部１５ｉを直接、又は連結材を介して連結する。
貫通孔形成部１５ｉを複数段重ねた場合、貫通孔形成部１５ｉの穴の下方に他の貫通孔形成部の側縁の部分が配されるが、それは部分的に遮るものにすぎない。
なお、図９の各図においては、前記貫通孔の形状（貫通孔の周縁の形状）、すなわち貫通孔形成部１５ｉの形状として、長方形を例示する。
【００３７】
図１０〜１３の各図に示す立体構造体１１ｊ、１１ｋ、１１ｍ、１１ｎは、複数の棒状体が格子状に交差した構造を有する格子体１９ｊ、１９ｋ、１９ｍ、１９ｎの一方の面の交差部に、この一方の面に対して直角となるように棒状体からなる脚部１６ｊ、１６ｋ、１６ｍ、１６ｎを接続した構造体である。そして、前記格子体の交差部と近隣の交差部との間の棒状体に、前記一方の面、前記一方の面と反対側の面、又はその両方の面に突起部２０ｊ、２０ｋ、２０ｍ、２０ｎが形成される。
この突起部は、所定形状に成形して形成した棒状体又は板状体である。この形状としては、多角形状、真円や楕円の一部をカットした形状等があげられる。
なお、図１０〜１１の各図においては、前記突起部２０ｊ、２０ｋは、前記一方の面に配され、図１２〜１３の各図においては、前記突起部２０ｍ、２０ｎは、両方の面に配されたものを例示する。また、図１０、１２の各図においては、前記突起部２０ｊ、２０ｍは、台形状の板状体を例示し、図１１、１３の各図においては、前記突起部２０ｋ、２０ｎは、台形の外形を棒状体で形成したものを例示する。
さらにまた、図１２〜１３の各図におおいて両方の面に配される突起部２０ｍ、２０ｎは、同じものであるが、これが異なったものであってもよい。
【００３８】
図１４の各図に示す立体構造体１１ｐは、板状体１７ｐに渦巻き状の貫通孔１２ｐを形成し、この渦巻きの中心部分を上方に持ち上げた状態を保持した形状を有する構造体である。このため、板状体１７ｐは、連続して高さが変化する面を形成することとなり、構造体としては、厚みを有することとなり、立体構造体となる。
【００３９】
この発明に係る揮散性薬剤含有立体構造体は、上記樹脂組成物を射出成形等の成形加工、変形、屈曲、接合等を行うことによって、製造することが可能である。これらの条件は
、使用する樹脂の種類、各成分の配合割合等を勘案して、周知の条件で行うことができる。
【００４０】
上記樹脂組成物は、上記揮散性薬剤が揮散性薬剤含有立体構造体の表面にブリードし、その表面から揮散していくため、この揮散性薬剤含有立体構造体に手が触れると揮散性薬剤が手に付着する恐れがある。このため、この発明にかかる揮散性薬剤含有立体構造体は、容器に収納して使用することが好ましい。この容器は、内部の揮散性薬剤含有立体構造体に手が触れにくく、かつ、揮散性薬剤が揮散しやすい程度の穴（開放窓）が空いていれば、特に限定されない。また、この容器は、使用用途に応じて、吊り下げたり、網戸等に貼り付け可能な構造を有することが好ましい。
なお、本発明の揮散性薬剤含有立体構造体は、ネット形状と較べて強固であり、製造工程において容器への収納をスムーズに行えるというメリットも有する。
【００４１】
この発明にかかる揮散性薬剤含有立体構造体は、上記容器に収納して、吊り下げたり、網戸等に貼り付けたり、静置させたりすることにより、使用した揮散性薬剤に応じて、防虫剤、虫除け剤、芳香剤、消臭剤等として使用することができる。
【実施例】
【００４２】
以下、この発明を、実施例を用いてより具体的に示す。なお、この発明はその要旨を超えない限り、以下の実施例に限定されるものではない。
【００４３】
（実施例１）
図５に示す立体構造体から形成される揮散性薬剤含有立体構造体を用いて実験を行った。
まず、揮散性薬剤としてトランスフルトリン（住友化学（株）製）５０重量部、ホワイトカーボン（ＥＶＯＮＩＫ社製：カープレックス＃８０、平均粒子径：１５μｍ）１８重量部、エチレン−ビニルアセテート共重合体（東ソー（株）製：ウルトラセン７１０、共重合体中のビニルアセテートの含有率：２８％）２０重量部、及びＬＤＰＥ（旭化成（株）製：サンテックＬＤＭ６５２０）１２重量部を１２０〜１４０℃で混練し、ペレット状マスターバッチを製造した。
次いで、得られたペレット１００重量部と前記ＬＤＰＥ３００重量部を１２０〜１４０℃で混練後、得られた樹脂組成物を射出成形し、接合などを行い、図５に示す立体構造体からなる揮散性薬剤含有立体構造体（１０ｇ）を得た。
この揮散性薬剤含有立体構造体全体の大きさを、９５ｍｍ×１６０ｍｍ×１２ｍｍとした。この揮散性薬剤含有立体構造体の表面積は９０８００ｍｍ2であった。
得られた揮散性薬剤含有立体構造体を室内に吊るし、２５℃、風速０．５ｍの条件下で、揮散性薬剤の揮散量ならびに揮散時間を測定した。揮散量ならびに揮散時間の測定方法は、揮散性薬剤含有立体構造体の重量を経時的に測定することによって行った。
その結果、揮散時間はおよそ２００日で、全期間を通じた平均の揮散量は５．８ｍｇ／日であった。
【００４４】
（比較例１）
実施例１で得られた樹脂組成物を射出成形し、筒状で網目がひし形状のネット（４．８ｇ）を得た。このネットは、外径０．７ｍｍの太さを有して、網目が４ｍｍ×４ｍｍであり、筒状を平らに押さえた時の全体の大きさは８０ｍｍ×１５０ｍｍ（切断して、一面に広げたときの広さは、１６０ｍｍ×１５０ｍｍに相当）と、実施例１の大きさの約２倍であった。この揮散性薬剤含有立体構造体の表面積は２０４００ｍｍ2であった。
得られたネットを、実施例１と同様にして揮散性薬剤の揮散量ならびに揮散時間を測定した。
その結果、揮散時間はおよそ２００日であったが、全期間を通じた平均の揮散量は２．
９ｍｇ／日で、本発明の揮散性薬剤含有立体構造体と同等の揮散量を得るためには、かなりの程度ネットを大きくしたり、あるいは重量を重くしたりする必要があり、製品設計上困難を伴うことが予想された。
【００４５】
（結果）
上記の通り、実施例１の揮散性薬剤含有立体構造体の揮散量は、比較例１の揮散量に比べ約２倍で、その揮散量の増大は表面積の対比から予想される以上に顕著であること、更に、容器と接する構造体の部分を減らすことによって、容器の内壁と接触することで生じる揮散性薬剤の揮散量低下や容器の汚染も抑制できることが明確となった。
【００４６】
（参考例１）
揮散性薬剤として、メトフルトリン（住友化学（株）製：エミネンス）を用い、立体構造体を特許第５５４７３５０号公報に示される立体構造体（図１５）とした以外は、実施例１に記載の方法にしたがって、揮散性薬剤含有立体構造体を製造した。
この揮散性薬剤含有立体構造体を室内に吊るし、２５℃、風速０．５ｍ／ｓの条件下で、風をこの揮散性薬剤含有立体構造体の正面又は側面に当てて、３０日間の揮散性薬剤の揮散量を、揮散性薬剤含有立体構造体の減量にて測定し、単位時間当たりの揮散量（ｍｇ／ｈ、ｍｇ／日）を算出した。その結果を表１に示す。
【００４７】
（実施例２〜１１）
立体構造体として図１〜図９、図１４に示す立体構造体とした以外は、参考例１と同様にして、揮散性薬剤含有立体構造体を製造し、揮散性薬剤の揮散量（ｍｇ／ｈ、ｍｇ／日）を算出した。その結果を表１に示す。
【００４８】
【表１】
2019071904.tif 000003
【００４９】
［結果］
実施例２〜１１は、いずれも正面に風を当てた時の薬剤揮散量が、参考例１よりも高かった。一方、側面の揮散量は、実施例２〜１１では参考例１よりも少し低かった。そして、側面と正面の揮散量の平均は、参考例１と実施例２〜１１とで同等であった。
したがって、参考例１も実施例２〜１１も十分な揮散量を発揮することができた。また、実施例２〜１１は、濃度の高い薬剤を目的方向に集めることができることがわかった。これにより、目的の場所で防虫効果を高めることが期待される。
【符号の説明】
【００５０】
１１ａ〜１１ｋ、１１ｍ、１１ｎ、１１ｐ  立体構造体
１２ａ〜１２ｈ、１２ｐ  貫通孔
１３ａ〜１３ｆ  貫通孔の周縁
１４ａ〜１４ｅ  外周縁
１５ｆ、１５ｉ  貫通孔形成部
１６ｆ、１６ｊ、１６ｋ、１６ｍ、１６ｎ  脚部
１７ｇ、１７ｈ、１７ｐ  板状体
１８ｇ、１８ｈ  カバー部
１９ｊ、１９ｋ、１９ｍ、１９ｎ  格子体
２０ｊ、２０ｋ、２０ｍ、２０ｎ  突起部
【図１】
2019071904.tif 000004
【図２】
2019071904.tif 000005
【図３】
2019071904.tif 000006
【図４】
2019071904.tif 000007
【図５】
2019071904.tif 000008
【図６】
2019071904.tif 000009
【図７】
2019071904.tif 000010
【図８】
2019071904.tif 000011
【図９】
2019071904.tif 000012
【図１０】
2019071904.tif 000013
【図１１】
2019071904.tif 000014
【図１２】
2019071904.tif 000015
【図１３】
2019071904.tif 000016
【図１４】
2019071904.tif 000017
【図１５】
2019071904.tif 000018